(57)【要約】【課題】紙媒体をスキャンして得られたデータを適切に活用することが出来る画像形成装置の提供。【解決手段】蛍光ラインマーカーにより抽出する部分に蛍光ラインが引かれた原稿を、スキャンする方向をｙ方向として、スキャンして読み込む原稿読取部と、原稿に紫外線を照射するブラックライト部と、原稿に紫外線を照射させ、光った蛍光ラインを蛍光部分スキャンデータとして読み取るブラックライトスキャン部と、読み取られた蛍光部分スキャンデータから蛍光ラインが引かれている部分のｙ座標を取得する蛍光ラインｙ座標取得部と、取得されたｙ座標の部分を、可視光を用いて、選択的に可視光スキャンデータとして読み取る選択的スキャン部と、読み取られた可視光スキャンデータを順に合成して再構成画像を生成するスキャンデータ合成部と、再構成画像を印刷出力する印刷部とを備える。【選択図】図６
2019047190.tif 000002
【特許請求の範囲】
【請求項１】
蛍光ラインマーカーにより抽出する部分に蛍光ラインが引かれた原稿に可視光または紫外線を当てて、スキャンする方向をｙ方向として、スキャンして読み込む原稿読取部と、
前記原稿に紫外線を照射するブラックライト部と、
前記ブラックライト部により前記原稿に紫外線を照射させ、光った蛍光ラインを前記原稿読取部に蛍光部分スキャンデータとして読み取らせるブラックライトスキャン部と、
前記ブラックライトスキャン部により読み取られた前記蛍光部分スキャンデータから蛍光ラインが引かれている部分のｙ座標を取得する蛍光ラインｙ座標取得部と、
前記原稿のうち、前記蛍光ラインｙ座標取得部により取得された前記ｙ座標の部分を、可視光を用いて、前記原稿読取部に選択的に１以上の可視光スキャンデータとして読み取らせる選択的スキャン部と、
前記選択的スキャン部により読み取られた前記１以上の可視光スキャンデータを順に合成して再構成画像を生成するスキャンデータ合成部と、
前記再構成画像を印刷出力する印刷部と
を備えた画像形成装置。
【請求項２】
請求項１に記載の画像形成装置であって、
前記スキャンデータ合成部により生成された前記再構成画像から蛍光ラインを消去する蛍光ライン消去処理部をさらに備えた
画像形成装置。
【請求項３】
蛍光ラインマーカーにより抽出しない部分に蛍光ラインが引かれた原稿に可視光または紫外線を当てて、スキャンする方向をｙ方向として、スキャンして読み込む原稿読取部と、
前記原稿に紫外線を照射するブラックライト部と、
前記ブラックライト部により前記原稿に紫外線を照射させ、光った蛍光ラインを前記原稿読取部に蛍光部分スキャンデータとして読み取らせるブラックライトスキャン部と、
前記ブラックライトスキャン部により読み取られた前記蛍光部分スキャンデータから蛍光ラインが引かれている部分のｙ座標を取得する蛍光ラインｙ座標取得部と、
前記原稿のうち、前記蛍光ラインｙ座標取得部により取得された前記ｙ座標の部分を除き、可視光を用いて、前記原稿読取部に選択的に１以上の可視光スキャンデータとして読み取らせる選択的スキャン部と、
前記選択的スキャン部により読み取られた前記１以上の可視光スキャンデータを順に合成して再構成画像を生成するスキャンデータ合成部と、
前記再構成画像を印刷出力する印刷部と
を備えた画像形成装置。
【請求項４】
蛍光ラインマーカーにより抽出する部分に蛍光ラインが引かれた原稿に紫外線を照射するブラックライト部により前記原稿に紫外線を照射させ、光った蛍光ラインを、スキャンする方向をｙ方向として、スキャンして読み込む原稿読取部に蛍光部分スキャンデータとして読み取らせ、
読み取られた前記蛍光部分スキャンデータから蛍光ラインが引かれている部分のｙ座標を取得し、
前記原稿のうち、取得された前記ｙ座標の部分を、可視光を用いて、前記原稿読取部に選択的に１以上の可視光スキャンデータとして読み取らせ、
読み取られた前記１以上の可視光スキャンデータを順に合成して再構成画像を生成し、
前記再構成画像を印刷出力する
ことを画像形成装置が行う
情報処理方法。
【発明の詳細な説明】
【技術分野】
【０００１】
本発明は、原稿をスキャンして得られる電子データを再利用する画像形成装置および情報処理方法に関する。
【背景技術】
【０００２】
従来、紙に印刷された文書と電子データを連携させるための様々な工夫がなされてきた。
【０００３】
例えば、特許文献１において開示されている技術では、店舗毎に異なるレシートをスキャンして店舗毎のレシートのフォーマットに従ってＯＣＲ（Optical Character Recognition）処理して電子データとして読み込み、電子データを集計することにより、売上管理に必要な帳票を作成している。
【０００４】
また、例えば、特許文献２の技術は、印刷された文書に加筆すると電子的な元文書に自動的に反映されるというものである。
【先行技術文献】
【特許文献】
【０００５】
【特許文献１】特開２０１２−３２９７９号公報
【特許文献２】特開２００２−１９６８７０号公報
【発明の概要】
【発明が解決しようとする課題】
【０００６】
しかし、特許文献１などの技術では、スキャンして読み込んだデータの活用が充分になされているとは言えなかった。
【０００７】
以上のような事情に鑑み、本発明の目的は、紙媒体をスキャンして得られたデータを適切に活用することが出来る画像形成装置および情報処理方法を提供することにある。
【課題を解決するための手段】
【０００８】
上記目的を達成するため、本発明の一形態に係る画像形成装置は、蛍光ラインマーカーにより抽出する部分に蛍光ラインが引かれた原稿に可視光または紫外線を当てて、スキャンする方向をｙ方向として、スキャンして読み込む原稿読取部と、前記原稿に紫外線を照射するブラックライト部と、前記ブラックライト部により前記原稿に紫外線を照射させ、光った蛍光ラインを前記原稿読取部に蛍光部分スキャンデータとして読み取らせるブラックライトスキャン部と、前記ブラックライトスキャン部により読み取られた前記蛍光部分スキャンデータから蛍光ラインが引かれている部分のｙ座標を取得する蛍光ラインｙ座標取得部と、前記原稿のうち、前記蛍光ラインｙ座標取得部により取得された前記ｙ座標の部分を、可視光を用いて、前記原稿読取部に選択的に１以上の可視光スキャンデータとして読み取らせる選択的スキャン部と、前記選択的スキャン部により読み取られた前記１以上の可視光スキャンデータを順に合成して再構成画像を生成するスキャンデータ合成部と、前記再構成画像を印刷出力する印刷部とを備える。
【０００９】
そのため、紙媒体をスキャンして得られたデータを適切に活用することが出来る。
【００１０】
上記目的を達成するため、本発明の一形態に係る画像形成装置は、前記スキャンデータ合成部により生成された前記再構成画像から蛍光ラインを消去する蛍光ライン消去処理部をさらに備えてもよい。
【００１１】
上記目的を達成するため、本発明の一形態に係る画像形成装置は、蛍光ラインマーカーにより抽出しない部分に蛍光ラインが引かれた原稿に可視光または紫外線を当てて、スキャンする方向をｙ方向として、スキャンして読み込む原稿読取部と、前記原稿に紫外線を照射するブラックライト部と、前記ブラックライト部により前記原稿に紫外線を照射させ、光った蛍光ラインを前記原稿読取部に蛍光部分スキャンデータとして読み取らせるブラックライトスキャン部と、前記ブラックライトスキャン部により読み取られた前記蛍光部分スキャンデータから蛍光ラインが引かれている部分のｙ座標を取得する蛍光ラインｙ座標取得部と、前記原稿のうち、前記蛍光ラインｙ座標取得部により取得された前記ｙ座標の部分を除き、可視光を用いて、前記原稿読取部に選択的に１以上の可視光スキャンデータとして読み取らせる選択的スキャン部と、前記選択的スキャン部により読み取られた前記１以上の可視光スキャンデータを順に合成して再構成画像を生成するスキャンデータ合成部と、前記再構成画像を印刷出力する印刷部とを備えてもよい。
【００１２】
上記目的を達成するため、本発明の一形態に係る情報処理方法では、蛍光ラインマーカーにより抽出する部分に蛍光ラインが引かれた原稿に紫外線を照射するブラックライト部により前記原稿に紫外線を照射させ、光った蛍光ラインを、スキャンする方向をｙ方向として、スキャンして読み込む原稿読取部に蛍光部分スキャンデータとして読み取らせ、読み取られた前記蛍光部分スキャンデータから蛍光ラインが引かれている部分のｙ座標を取得し、前記原稿のうち、取得された前記ｙ座標の部分を、可視光を用いて、前記原稿読取部に選択的に１以上の可視光スキャンデータとして読み取らせ、読み取られた前記１以上の可視光スキャンデータを順に合成して再構成画像を生成し、前記再構成画像を印刷出力することを画像形成装置が行う。
【発明の効果】
【００１３】
以上のように、本発明によれば、紙媒体をスキャンして得られたデータを適切に活用することが出来る。
【図面の簡単な説明】
【００１４】
【図１】画像形成装置で処理する前の原稿の状態を示す図である。
【図２】原稿に、ユーザーが蛍光ラインマーカーを用いて蛍光ラインＬＭ１からＬＭ４を引いた状態を示す図である。
【図３】蛍光ラインが引かれた原稿を選択的にスキャンする様子を示す図である。
【図４】選択的スキャニングにより得られた複数のスキャンデータを順に合体させて得られた、再構成された原稿を示すものである。
【図５】画像形成装置２０の構成を概略的に示す構成図である。
【図６】詳細な処理の流れについて説明するためのフローチャートである。
【発明を実施するための形態】
【００１５】
以下、図面を参照しながら、本発明の実施形態を説明する。
【００１６】
［概要］
最初に、本発明の一実施形態に係る画像形成装置で行われる処理の概要について説明する。図１から図４は、本発明の一実施形態に係る画像形成装置で行われる処理の概要について説明するための図である。
【００１７】
図１は、画像形成装置で処理する前の原稿の状態を示す図である。先頭から順に、「１．ＡＡＡ」の見出しＨ１、「ＡＡＡ（中略）ＡＡＡ」のテキストＴ１、イメージＩ１から始まり、一番下の「ＧＧＧ（中略）ＧＧＧ」のテキストＴ７で終わっている。
【００１８】
図２は、図１に示した原稿に、ユーザーが蛍光ラインマーカーを用いて蛍光ラインＬＭ１からＬＭ４を引いた状態を示す図である。例えば、蛍光ラインＬＭ１は、見出しＨ１、テキストＴ１、およびイメージＩ１の上に引かれているので、これらの部分を抽出するようにユーザーから指示がなされた事を示している。
【００１９】
図３は、図２に示した蛍光ラインが引かれた原稿を選択的にスキャンする様子を示す図である。画像形成装置では、原稿上に引かれた蛍光ラインのｙ座標（図の横方向をｘ方向、図の縦方向（スキャンする方向）をｙ方向とする）を把握し、蛍光ラインが引かれている部分のみ、原稿をスキャンし、スキャンデータを取得する。なお、原稿のスキャンは、ｘ方向の用紙の幅に亘って、ｙ方向に行われるものとする。
【００２０】
図４は、図３に示す様な選択的スキャニングにより得られた複数のスキャンデータを順に合体させて得られた、再構成された原稿を示すものである。なお、原稿に引かれていた蛍光ラインは、蛍光ラインを画像から消去する公知の技術により消去されている。
【００２１】
以上のように、本発明では、再構成する前の原稿に対してユーザーが抽出したい箇所に蛍光ラインを引くことにより抽出の指示を与えると、画像形成装置が指定された箇所を抽出し、抽出した複数の箇所を合体させることにより、抽出部分だけから構成された、再構成された資料を得ることが出来る。
【００２２】
すなわち、紙媒体をスキャンして得られた電子データを適切に活用することが出来る。
【００２３】
以上、本発明の一実施形態に係る画像形成装置で行われる処理の概要について説明した。
【００２４】
［画像形成装置の構成］
次に、本発明の一実施形態に係る画像形成装置の構成について説明する。図５は画像形成装置２０の構成を概略的に示す構成図である。
【００２５】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００２６】
制御部２１は、原稿読取部２２、ブラックライト部２２ａ、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００２７】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００２８】
また、制御部２１は、ブラックライトスキャン部２１ａ、蛍光ラインｙ座標取得部２１ｂ、選択的スキャン部２１ｃ、スキャンデータ合成部２１ｄ、蛍光ライン消去処理部２１ｅ、および印刷部２１ｆを有している。ブラックライトスキャン部２１ａ、蛍光ラインｙ座標取得部２１ｂ、選択的スキャン部２１ｃ、スキャンデータ合成部２１ｄ、蛍光ライン消去処理部２１ｅ、および印刷部２１ｆは、ＲＯＭなどからＲＡＭにロードされたプログラムがＣＰＵにより実行されることで実現される機能ブロックである。
【００２９】
ブラックライトスキャン部２１ａは、ブラックライト部２２ａにより原稿に紫外線を照射させ、光った蛍光ラインを原稿読取部２２に蛍光部分のスキャンデータとして読み取らせる。
【００３０】
蛍光ラインｙ座標取得部２１ｂは、ブラックライトスキャン部２１ａにより読み取られた蛍光部分のスキャンデータから蛍光ラインが引かれている部分のｙ座標を取得する。
【００３１】
選択的スキャン部２１ｃは、原稿のうち、蛍光ラインｙ座標取得部２１ｂにより取得されたｙ座標の部分を、可視光を用いて、原稿読取部２２に選択的に可視光スキャンデータとして読み取らせる。
【００３２】
スキャンデータ合成部２１ｄは、選択的スキャン部２１ｃにより読み取られた１以上の可視光スキャンデータを順に合成して１つの再構成画像を生成する。
【００３３】
蛍光ライン消去処理部２１ｅは、スキャンデータ合成部２１ｄにより生成された再構成画像から、公知の技術により、蛍光ラインを消去する。
【００３４】
印刷部２１ｆは、再構成画像を画像形成部２５を用いて印刷出力する。
【００３５】
原稿読取部２２は、可視光または紫外線を当てて原稿から画像を読み取る。
【００３６】
ブラックライト部２２ａは、原稿から蛍光ラインマーカーにより引かれた蛍光ラインを読み取るために、可視光に代わり、原稿に紫外線を照射する
【００３７】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００３８】
画像メモリー２４は、原稿読取部２２による読み取りで得られた原稿画像のデータを一時的に記憶したり、画像形成部２５での印刷対象となるデータを一時的に記憶したりする領域である。
【００３９】
画像形成部２５は、原稿読取部２２で読み取られた画像データ等の画像形成を行う。
【００４０】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００４１】
ファクシミリ通信部２７は、図示しない符号化／復号化部、変復調部、およびＮＣＵ（Network Control Unit）を備え、公衆電話回線網を用いてのファクシミリの送信を行う。
【００４２】
通信部２８は、ＬＡＮボード等の通信モジュールから構成され、通信部２８に接続されたＬＡＮ等を介して、ネットワーク上の装置(ＰＣ等)と種々のデータの送受信を行う。
【００４３】
記憶部２９は、原稿読取部２２によって読み取られた原稿画像などを記憶する。記憶部２９は、ＨＤＤなどの大容量の記憶装置である。
【００４４】
以上、画像形成装置２０の構成について説明した。
【００４５】
［詳細な処理の流れ］
次に、詳細な処理の流れについて説明する。図６は、詳細な処理の流れについて説明するためのフローチャートである。
【００４６】
まず、ユーザーが、原稿の中の抽出したい箇所に蛍光ラインマーカーで蛍光ラインを引く（ステップＳ１）。なお、蛍光ラインを引く際には、ｙ座標方向に関して、抽出したい箇所に適切に蛍光ラインを引くことに注意しなければならない。
【００４７】
次に、ユーザーは、画像形成装置２０を抽出・再構成モードにする（ステップＳ２）。なお、抽出・再構成モードにしない場合、画像形成装置２０は通常モードのままなので、原稿は普通にコピーされるだけである。
【００４８】
次に、ブラックライトスキャン部２１ａが、原稿（資料）をブラックライトでスキャンし、蛍光ラインのスキャンデータを取得する（ステップＳ３）。
【００４９】
次に、蛍光ラインｙ座標取得部２１ｂが、ブラックライトスキャン部２１ａにより取得された蛍光ラインのスキャンデータを解析し、蛍光ラインが引かれている部分のｙ座標を取得する（ステップＳ４）。
【００５０】
次に、選択的スキャン部２１ｃが、ステップＳ４において取得されたｙ座標の部分のみ選択的にスキャンを行い、１以上のスキャンデータを取得する（ステップＳ５）。
【００５１】
次に、スキャンデータ合成部２１ｄが、ステップＳ５において取得された１以上のスキャンデータを順に合体させ１つの再構成画像にまとめる（ステップＳ６）。
【００５２】
次に、蛍光ライン消去処理部２１ｅが、ステップＳ６において１つにまとめられた再構成画像から蛍光ラインを消去する（ステップＳ７）。
【００５３】
次に、印刷部２１ｆが、蛍光ラインの消去された再構成画像を画像形成部２５を用いて印刷出力する（ステップＳ８）。
【００５４】
以上、詳細な処理の流れについて説明した。
【００５５】
＜変形例１＞
上記の説明では、ユーザーが抽出したい箇所の全体に亘って蛍光ラインを引いていたが、本発明では、抽出したい箇所のｙ座標が分かればよいので、原稿の右端または左端に縦棒を引くことによりｙ座標を指定して抽出箇所を指示してもよい。
【００５６】
＜変形例２＞
上記の説明では、蛍光ラインを引いた箇所を抽出して再構成したが、この構成に限らず、例えば、蛍光ラインを引かなかった箇所を抽出して再構成してもよい。その場合、再構成したスキャンデータから蛍光ラインを消去する処理は不要になる。
【００５７】
＜変形例３＞
上記の説明では、蛍光ラインが引かれた箇所のｙ座標に該当する部分のみ、選択的にスキャンしてスキャンデータを得たが、この構成に限らず、例えば、原稿全体をスキャンしてスキャンデータを得た後で、蛍光ラインが引かれた箇所のｙ座標に該当する部分のみ、画像処理により抽出する構成でもよい。その場合、原稿読取部２２において原稿をスキャンするための制御を簡略化することが出来る。
【００５８】
［補足事項］
以上のように、本発明に係る画像形成装置２０は、蛍光ラインマーカーにより抽出する部分に蛍光ラインが引かれた原稿に可視光または紫外線を当てて、スキャンする方向をｙ方向として、スキャンして読み込む原稿読取部２２と、前記原稿に紫外線を照射するブラックライト部２２ａと、前記ブラックライト部２２ａにより前記原稿に紫外線を照射させ、光った蛍光ラインを前記原稿読取部２２に蛍光部分スキャンデータとして読み取らせるブラックライトスキャン部２１ａと、前記ブラックライトスキャン部２１ａにより読み取られた前記蛍光部分スキャンデータから蛍光ラインが引かれている部分のｙ座標を取得する蛍光ラインｙ座標取得部２１ｂと、前記原稿のうち、前記蛍光ラインｙ座標取得部２１ｂにより取得された前記ｙ座標の部分を、可視光を用いて、前記原稿読取部２２に選択的に１以上の可視光スキャンデータとして読み取らせる選択的スキャン部２１ｃと、前記選択的スキャン部２１ｃにより読み取られた前記１以上の可視光スキャンデータを順に合成して再構成画像を生成するスキャンデータ合成部２１ｄと、前記再構成画像を印刷出力する印刷部２１ｆとを備える。
【００５９】
そのため、紙媒体をスキャンして得られたデータを適切に活用することが出来る。
【００６０】
その他、本発明は、上述の実施形態にのみ限定されるものではなく、本発明の要旨を逸脱しない範囲内において種々変更を加え得ることは勿論である。
【符号の説明】
【００６１】
２０  …  画像形成装置
２１  …  制御部
２１ａ…  ブラックライトスキャン部
２１ｂ…  蛍光ラインｙ座標取得部
２１ｃ…  選択的スキャン部
２１ｄ…  スキャンデータ合成部
２１ｅ…  蛍光ライン消去処理部
２１ｆ…  印刷部
２２  …  原稿読取部
２２ａ…  ブラックライト部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
【図１】
2019047190.tif 000003
【図２】
2019047190.tif 000004
【図３】
2019047190.tif 000005
【図４】
2019047190.tif 000006
【図５】
2019047190.tif 000007
【図６】
2019047190.tif 000008